(57)【要約】【課題】使用する交換レンズの種類（或いはその交換レンズを使用する際の目的）によって、適切な画像処理を行うことが可能なカメラを提供する。【解決手段】交換レンズを着脱可能でカメラ本体を備えたカメラであって、撮像素子と、該撮像素子で得られた画像データに対して所定の画像処理を施す画像処理部と、前記カメラ本体に装着された前記交換レンズの種類を識別するレンズ識別部と、該レンズ識別部の出力に応じて、前記所定の画像処理の処理内容としてノイズ処理、輝度処理、色処理の少なくとも一つを変更する設定部と、を有する。【選択図】図１
2018019124.tif 000002
【特許請求の範囲】
【請求項１】
交換レンズを着脱可能でカメラ本体を備えたカメラであって、
撮像素子と、
該撮像素子で得られた画像データに対して所定の画像処理を施す画像処理部と、
前記カメラ本体に装着された前記交換レンズの種類を識別するレンズ識別部と、
該レンズ識別部の出力に応じて、前記所定の画像処理の処理内容としてノイズ処理、輝度処理、色処理の少なくとも一つを変更する設定部と、
を有することを特徴とするカメラ。
【請求項２】
前記変更には、前記ノイズ処理、前記輝度処理、前記色処理の少なくとも一つをスキップすることが含まれることを特徴とする請求項１に記載のカメラ。
【請求項３】
前記交換レンズの型名と前記交換レンズの使用目的とを対応付けした記憶手段を有し、
前記設定部は、前記レンズ識別部で識別された前記交換レンズの型名に対応して、前記記憶手段に記憶された対応する前記使用目的に基づき、前記ノイズ処理、前記輝度処理、前記色処理の少なくとも一つを変更することを特徴とする請求項１または２に記載のカメラ。
【請求項４】
前記交換レンズの使用目的は、少なくとも静止画撮影、動画撮影、検査撮影を有することを特徴とする請求項３に記載のカメラ。
【請求項５】
前記交換レンズの使用目的が前記静止画撮影であるとき、前記設定部は前記ノイズ処理として暗画像を通常画像から減算する処理を設定することを特徴とする請求項４に記載のカメラ。
【請求項６】
前記変更には、前記ノイズ処理、前記輝度処理、前記色処理の少なくとも一つをスキップすることが含まれ、
前記交換レンズの使用目的が前記静止画撮影であるとき、前記設定部は前記輝度処理としてのガンマ補正処理をスキップすることを特徴とする請求項４または５に記載のカメラ。
【請求項７】
前記交換レンズの使用目的が前記動画撮影であるとき、前記設定部は前記ノイズ処理として複数フレームをサンプルとしたノイズ低減処理を設定することを特徴とする請求項４乃至６のいずれか１項に記載のカメラ。
【請求項８】
前記交換レンズの使用目的が前記動画撮影であるとき、前記設定部は前記輝度処理としてのガンマ補正処理を設定することを特徴とする請求項４乃至７のいずれか１項に記載のカメラ。
【請求項９】
前記変更には、前記ノイズ処理、前記輝度処理、前記色処理の少なくとも一つをスキップすることが含まれ、
前記交換レンズの使用目的が前記検査撮影であるとき、前記設定部は前記ノイズ処理をスキップすることを特徴とする請求項４乃至８のいずれか１項に記載のカメラ。
【請求項１０】
前記変更には、前記ノイズ処理、前記輝度処理、前記色処理の少なくとも一つをスキップすることが含まれ、
前記交換レンズの使用目的が前記検査撮影であるとき、前記設定部は前記輝度処理としてのガンマ補正処理をスキップすることを特徴とする請求項４乃至９のいずれか１項に記載のカメラ。
【請求項１１】
前記交換レンズの使用目的が前記動画撮影でかつ映画撮影であるとき、前記設定部は前記色処理として赤色を強調することを特徴とする請求項４乃至１０のいずれか１項に記載のカメラ。
【発明の詳細な説明】
【技術分野】
【０００１】
本発明は、交換レンズを着脱可能でカメラ本体を備えたカメラに関する。
【背景技術】
【０００２】
交換レンズを装着可能でカメラ本体を備えたカメラは、静止画撮影用、動画撮影用（例えば映画撮影用）、検査撮影用など様々な使用目的（撮影目的）で使用されているが、カメラの使用目的によって必要とされる撮影画像の画質はそれぞれ異なる。例えば、静止画撮影では静止画撮影用に好適化（最適化）されたノイズリダクション（ノイズ低減処理）が必要である。また、映画撮影では通常の動画撮影とは異なったカラーバランス（色処理として赤を強くする）を用いる。このように、カメラの使用目的によって特有の画像処理が必要となることがある。
【０００３】
通常、一つのカメラでは使用目的も一つであることが一般的であるが、近年においては静止画撮影用のカメラで動画撮影を行うなど複数の用途で使用されるカメラが登場してきた。
【０００４】
従来、複数の使用目的で使用されるカメラ（以後、多目的カメラ）では、使用目的によって画像処理のモードが分けられており、撮影者が手動でモードを切り替えることで現在の使用目的に合致した画像処理の設定を反映していた。
【０００５】
また、カメラに装着する交換レンズに関しては、一つの目的に使用される専用カメラであっても多目的カメラであっても、使用目的に合わせて所望の画像を取得できるように光学特性を合わせていた。特許文献１には、装着する交換レンズの種類を変更した場合には、交換レンズの光学特性に合わせてホワイトバランス処理を切り替えることが示されている。
【０００６】
また、特許文献２では、測光精度を上げるために交換レンズの焦点距離に応じて異なる測光モード（分割測光、平均測光、部分測光）とすることが示されている。
【先行技術文献】
【特許文献】
【０００７】
【特許文献１】特開２０００−２４４９３０号公報
【特許文献２】特開平５−１８８４２５号公報
【発明の概要】
【発明が解決しようとする課題】
【０００８】
しかしながら、上記の従来技術は、交換レンズの種類を考慮した後処理（画像処理）、より詳細には装着された交換レンズを使用する際の目的を考慮した後処理（画像処理）を行う旨の記載が無い。
【０００９】
そこで、本発明の目的は、使用する交換レンズの種類（或いはその交換レンズを使用する際の目的）によって、適切な画像処理を行うことが可能なカメラを提供することにある。
【課題を解決するための手段】
【００１０】
上記目的を達成するために、本発明に係るカメラは、交換レンズを着脱可能でカメラ本体を備えたカメラであって、撮像素子と、該撮像素子で得られた画像データに対して所定の画像処理を施す画像処理部と、前記カメラ本体に装着された前記交換レンズの種類を識別するレンズ識別部と、該レンズ識別部の出力に応じて、前記所定の画像処理の処理内容としてノイズ処理、輝度処理、色処理の少なくとも一つを変更する設定部と、を有することを特徴とする。
【発明の効果】
【００１１】
本発明によれば、カメラ本体に装着された交換レンズの種類を判別し、画像処理の設定の好適化を自動で行うことができる。
【図面の簡単な説明】
【００１２】
【図１】本発明の実施形態に係るカメラの全体構成図である。
【図２】本発明の実施形態に係るカメラにおける処理のフローチャートである。
【図３】本発明の実施形態に係るカメラにおける画像処理設定算出のサブプロセス処理のフローチャートである。
【図４】本発明の実施形態に係るカメラにおける画像処理設定を示す説明図である。
【発明を実施するための形態】
【００１３】
本発明、及び本発明の実施形態について詳細に説明する。本発明のカメラ（撮像装置）は、撮像素子３と、この撮像素子３で得られた画像データに対して画像処理を施す画像処理部５とを備えており、レンズ（交換レンズ）１を着脱可能である。ここで、このカメラは、画像処理部によって行う画像処理の内容を、装着された交換レンズの種類を識別するレンズ識別部７の識別結果に基づいて変更する（設定する）。
【００１４】
尚、ここでの画像処理は、ノイズ処理（強めたり弱めたりする、或いはノイズと判断する周波数の閾値を変える等）、輝度処理（ＹＣｂＣｒ信号のＹ値を変更する）、色処理（ＹＣｂＣｒ信号のＣｂ或いはＣｒの値を変更する）の少なくとも一つの変更処理である。この変更を行う設定部は、前述の画像処理部や、レンズ識別部等と同じ回路（ＣＰＵ）であっても良いし、別々の回路であっても良い。
【００１５】
以下、本発明の実施の形態について図面を用いて説明する。
【００１６】
《第１の実施形態》
（カメラ）
以下、図１（ａ）（ｂ）を参照して本発明の実施形態に係るカメラの全体構成について説明する。本実施形態のカメラは、図１（ａ）に示すように、レンズ（交換レンズ）１、レンズマウント２、撮像素子３、ＡＤ変換部４、画像処理部５、出力部６、レンズ識別部７、撮影目的判別部８、レンズデータ格納部９、画像処理設定算出部１０から構成される。レンズ１は、カメラ本体１００（図１（ｂ））に着脱可能に設けられる。そして、撮像素子３、ＡＤ変換部４、画像処理部５、出力部６、レンズ識別部７、撮影目的判別部８、レンズデータ格納部９、画像処理設定算出部１０は、カメラ本体１００に設けられる。
【００１７】
レンズデータ格納部９は、レンズの型名とレンズの使用目的とを対応付けした記憶手段である。レンズデータ格納部９には、例えば表１のようにレンズの種類のデータ（レンズ型名としてａ１、ａ２、ａ３、・・・、ｂ１、ｂ２、ｂ３、・・・、ｃ１、ｃ２、ｃ３、・・・、）と、それぞれ対応する目的（使用目的）のデータ（Ａ、Ｂ、Ｃ）が格納されている。
【００１８】
そして、レンズ識別部７の出力に応じて、所定の画像処理の処理内容として例えば、ノイズ処理、輝度処理の少なくとも一つを変更する（好適化（最適化）する）設定部として画像処理設定算出部１０が機能する。
【００１９】
【表１】
2018019124.tif 000003
【００２０】
撮影目的判別部８は、レンズ識別部７と共に一体化したブロック構成とすることができる。あるいは、撮影目的判別部８は、レンズデータ格納部９、画像処理設定算出部１０と共に一体化したブロック構成とすることもできる。
【００２１】
（フローチャート）
以下、図２のフローチャートを参照して、本実施形態における撮影処理の流れについて説明する。本実施形態のカメラは、電源を立ち上げた後、最初にレンズ１がレンズマウント２に装着されているかを判断する（Ｓ１０１）。レンズが装着されていない場合には、引き続きレンズの装着確認処理を継続する。レンズが装着されている場合には、レンズ識別部７はレンズ１と通信を行いレンズの種類を識別する（Ｓ１０２）。
【００２２】
次に、撮影目的判別部８は、レンズ識別部７が識別したレンズの種類を基にレンズデータ格納部９からレンズの種類に対応する撮影目的を取得する（Ｓ１０３）。画像処理設定算出部１０は、撮影目的判別部８が判別した撮影目的に好適化した画像処理設定を算出する（Ｓ１０４）。
【００２３】
そして、撮像素子で得られた画像データに対して所定の画像処理を施す画像処理部５は、Ｓ１０４で算出した画像処理パスと画像処理パラメータを適用する（Ｓ１０５）。最後に、レンズ１がレンズマウント２から外されているかを判断する（Ｓ１０６）。外されている場合には、Ｓ１０１の装着確認ステップに戻る。外されていない場合には、現在の画像処理設定状態を維持し、撮影を続行する。
【００２４】
さらに、以下、図２中のＳ１０４における画像処理設定算出部１０の処理の詳細な流れについて、図３のフローチャートを用いて説明する。まず、画像処理設定算出部１０は撮影目的判別部８が判別した撮影目的に合わせ、好適化した画像処理パスを算出する（Ｓ２０１）。算出した画像処理パスを参照して、露出制御を行うかどうかを判断する（Ｓ２０２）。露出制御を行う場合には、撮影目的に合った露出制御パラメータを算出し（Ｓ２０３）、行わない場合には、露出制御パラメータは算出せずに次の処理に進む。
【００２５】
次に、同様に画像処理パスを参照して、ノイズ処理としてのＮＲ（ノイズ低減処理）を行うかどうかを判断する（Ｓ２０４）。ＮＲを行う場合には、撮影目的に合ったＮＲパラメータを算出し（Ｓ２０５）、行わない場合は、ＮＲパラメータは算出せずに次の処理に進む（すなわち、スキップする）。
【００２６】
また同様に、画像処理パスを参照して、輝度処理としてのγ補正（ガンマ補正処理）、出力調整を行うかどうかを判断する（Ｓ２０６）。γ補正、出力調整を行う場合には、撮影目的に合ったγ補正、出力調整用のパラメータを算出し（Ｓ２０７）、行わない場合には、γ補正、出力調整用のパラメータは算出せずに処理を終了する。
【００２７】
さらに、上記図３のフローチャート中の画像処理パス、画像処理設定（パラメータ）について、図４の説明図を用いて説明する。本実施形態における画像処理パスとは、撮像素子３（センサー）が出力した画像信号を外部表示機器に出力するまでの間にどういった画像処理を施すのかということである。
【００２８】
本実施形態では、画像処理パスの一例として、図４の通り、所定の画像処理の処理内容として輝度処理としての露出補正、ノイズ処理としてのＮＲ、輝度処理としてのγ補正および出力調整の３つの画像処理制御を行うパスを示している。また本実施形態のカメラシステムは、静止画撮影、動画撮影、検査撮影（部品製造工程における検査用カメラ）の３通りの目的に使用されることを想定している。
【００２９】
図４の右の表はそれぞれの撮影目的（使用目的）に対し、どういった画像処理パス、画像処理設定を適用されるかを示している。以下は、一例として静止画レンズが装着された場合を示す。レンズが装着されると、まずレンズの種類が静止画撮影用であると判別され、画像処理パスが静止画撮影用のパスとして、露出補正、ＮＲ、γ補正・出力調整を全て行うパスが設定される。
【００３０】
そして、各画像処理パスにおいて設定部で設定される画像処理設定も静止画用のパラメータが適用される。露出補正においてはストロボも使用する前提の露出制御が行われ、ＮＲはシャッターを閉じた状態での暗画像を通常画像から減算する方式のＮＲが設定される。γ補正処理(ガンマ補正処理)、出力調整については、ユーザが自身で調整できるように敢えて補正せずにＲＡＷデータを出力する。このように静止画用レンズが装着された場合には、静止画撮影に必要な画像処理パスが設定され、設定されたパスにおいて好適化した画像処理設定が自動で適用される。
【００３１】
動画撮影用レンズや検査カメラ用レンズが装着された場合においても、同様に自動で好適化した設定が適用される。動画撮影用レンズが装着された場合、画像処理パスが動画撮影用のパスとして、露出補正、ＮＲ、γ補正・出力調整を全て行うパスが設定される。露出補正は、ストロボ非使用にてシャッタースピード変更で自動露出制御を行い、ＮＲは複数フレームをサンプル（複数フレームサンプル）としてノイズ低減処理が設定される。また、γ補正は表示機器に合わせて行われる。
【００３２】
そして、検査カメラ用レンズが装着された場合においては、図４に示すように画像処理が必要とされない（余計な補正を行うべきではない）ため、画像処理パスをスキップする設定とすることもある。
【００３３】
以上のように、本実施形態のカメラシステムでは、レンズを装着すると自動で撮影目的を判別し好適化した画像処理設定が適用される。このことによって、ユーザが毎回手動で画像処理設定を変更する必要がなくなり、簡便な操作で好適化した画像を撮影することができる。
【００３４】
（変形例）
以上、本発明の実施の形態を説明したが、本発明はこれらの実施の形態に限定されず、その要旨の範囲内で様々な変形及び変更が可能である。
【００３５】
（変形例１）
本実施形態においては、カメラの撮影目的（使用目的）を静止画撮影、動画撮影、検査撮影としたが、設定される撮影目的はこれらに限定されるものではない。また、画像処理パスや各パスにおけるパラメータも図３、４において示されたもの以外の処理を追加することや、削除・変更することも可能である。
【００３６】
すなわち、ノイズ処理、輝度処理の他に色処理を考慮し、レンズ識別部の出力に応じて、設定部が、所定の画像処理の処理内容としてノイズ処理、輝度処理、色処理の少なくとも一つを好適化するようにすることができる。この場合、色処理として動画撮影（特にシネマ撮影）の交換レンズがカメラ本体に装着されたことをレンズ識別部が自動で識別し、赤色を強調する画像処理を自動で行うようにすることもできる。
【符号の説明】
【００３７】
１・・レンズ（交換レンズ）、３・・撮像素子、５・・画像処理部、７・・レンズ識別部、１０・・画像処理設定算出部、１００・・カメラ本体
【図１】
2018019124.tif 000004
【図２】
2018019124.tif 000005
【図３】
2018019124.tif 000006
【図４】
2018019124.tif 000007